(57)【要約】【課題】  一度しか聞くことのできない放送形式によって、音声メッセージの配信を行う無線放送システムにおいて、音声メッセージを記録し、すでに放送されてしまった音声メッセージの内容をユーザが確認できるようにする。【解決手段】  無線通信端末（移動局）５０ａ〜５０ｆに対して、音声メッセージの配信を行う放送装置１０及びその中継を行う中継装置２０のそれぞれに、放送用録音装置６１及び中継用録音装置６２を接続する。放送装置１０から放送された音声メッセージは、これらの放送用録音装置や中継用録音装置に記録され、放送用録音装置や中継用録音装置に記録された音声メッセージに関しては、例えば、移動局が再生を要求する音声メッセージの再生、最新の音声メッセージの繰り返し再生、音声メッセージの先頭部分からの再生などができるようになる。【選択図】  図１
2005086529.tif 000002
【特許請求の範囲】
【請求項１】
音声メッセージの配信を行う放送装置と、無線通信端末を収容し、前記無線通信端末と無線通信を行う複数の無線基地局と、前記無線通信端末の呼制御を管理する回線制御装置と、前記放送装置によって配信された前記音声メッセージの記録及び記録された前記音声メッセージの出力を行う放送用録音装置とが、構内情報通信網によって接続されている無線放送システムであって、
前記放送用録音装置は、
前記音声メッセージを取得する音声メッセージ入力手段と、
前記音声メッセージを記録する音声メッセージ記録手段と、
前記音声メッセージ入力手段が取得している前記音声メッセージ、及び、前記音声メッセージ記録手段に記録されている前記音声メッセージのいずれか一方を、あるいは、両方を少なくとも前記無線通信端末に送出する音声メッセージ出力手段と、
所定の信号を受信して、前記所定の信号によって指示された前記音声メッセージの記録及び出力の態様を判定する録音再生判定手段と、
前記録音再生判定手段の判定結果に基づいて、前記音声メッセージ記録手段における記録動作、及び、前記音声メッセージ出力手段における出力動作の制御とその出力先の管理を行う音声メッセージ管理手段とを有し、
前記放送装置は、
前記音声メッセージを取得する音声メッセージ入力手段と、
前記音声メッセージを記録する音声メッセージ記録手段と、
前記音声メッセージ入力手段が取得している前記音声メッセージ、及び、前記音声メッセージ記録手段に記録されている前記音声メッセージのいずれか一方を、前記放送用録音装置及び前記無線通信端末の少なくとも１つに送出する音声メッセージ出力手段と、
所定の信号を検出して、前記所定の信号によって指示された前記音声メッセージの記録及び再生の態様を判定する録音再生判定手段と、
前記録音再生判定手段の判定結果に基づいて、前記音声メッセージ記録手段における記録動作、及び、前記音声メッセージ出力手段における出力動作の制御とその出力先の管理を行う音声メッセージ管理手段とを有し、
前記放送装置による音声メッセージの記録動作状況及び出力動作状況が、前記放送用録音装置の前記録音再生判定手段に通知されるように、前記放送用録音装置に信号線が接続されており、
前記放送装置が、所定の前記無線基地局に収容される前記無線通信端末に対して、前記音声メッセージを配信するとともに、前記放送用録音装置に対して前記音声メッセージを配信した場合に、前記放送用録音装置は、前記録音再生判定手段において、前記放送装置によって前記音声メッセージの配信が行われていることを前記信号線を介して検出し、前記検出結果をトリガとして、前記音声メッセージ管理手段が前記放送装置から受信する前記音声メッセージの記録を開始するよう構成され、
前記放送用録音装置は、前記録音再生判定手段における前記所定の信号の検出結果に応じて、前記音声メッセージ記録手段に記録されている前記音声メッセージを送出し、前記録音再生判定手段において前記無線通信端末からの再生要求を検出した場合には、前記無線通信端末によって再生要求された前記音声メッセージを前記音声メッセージ記録手段から読み出して、前記無線通信端末に送出するよう構成され、
前記放送装置は、所定の前記無線基地局に収容される前記無線通信端末に対して、前記音声メッセージを配信するとともに、前記放送用録音装置に対して前記音声メッセージを配信し、前記放送装置に設けられた前記音声メッセージ記録手段に前記音声メッセージを記録するよう構成され、
前記放送装置は、前記録音再生判定手段における前記所定の信号の検出結果に応じて、前記音声メッセージ記録手段に記録されている前記音声メッセージを送出し、前記録音再生判定手段において前記無線通信端末からの再生要求を検出した場合には、前記無線通信端末によって再生要求された前記音声メッセージを前記音声メッセージ記録手段から読み出して、前記無線通信端末に送出するよう構成されている無線放送システム。
【請求項２】
前記音声メッセージの中継を行う中継装置と、前記放送装置によって配信された前記音声メッセージの記録及び記録された前記音声メッセージの出力を行う中継用録音装置とが、前記構内情報通信網に接続されており、
前記中継用録音装置は、
前記放送装置が配信する前記音声メッセージを取得する音声メッセージ入力手段と、
前記音声メッセージを記録する音声メッセージ記録手段と、
前記音声メッセージ入力手段が取得している前記音声メッセージ、及び、前記音声メッセージ記録手段に記録されている前記音声メッセージのいずれか一方を、あるいは、両方を少なくとも前記無線通信端末に送出する音声メッセージ出力手段と、
所定の信号を受信して、前記所定の信号によって指示された前記音声メッセージの記録及び出力の態様を判定する録音再生判定手段と、
前記録音再生判定手段の判定結果に基づいて、前記音声メッセージ記録手段における記録動作、及び、前記音声メッセージ出力手段における出力動作の制御とその出力先の管理を行う音声メッセージ管理手段とを有し、
前記中継装置による音声メッセージの記録動作状況及び出力動作状況が、前記中継用録音装置の前記録音再生判定手段に通知されるように、前記中継用録音装置に信号線が接続されており、
前記放送装置が、所定の前記無線基地局に収容される前記無線通信端末に対して、前記音声メッセージを配信するとともに、前記中継用録音装置に対して前記音声メッセージを配信し、前記中継用録音装置が、前記録音再生判定手段において、前記中継装置に対して前記音声メッセージの配信が行われていないことを前記信号線を介して検出した場合には、前記中継用録音装置は、前記検出結果をトリガとして、前記音声メッセージ入力手段が前記放送装置から受信する前記音声メッセージの記録を開始するとともに、前記中継装置が前記音声メッセージの中継を行えるように、前記中継装置に対して前記音声メッセージを送出するよう構成されている請求項１に記載の無線放送システム。
【発明の詳細な説明】
【技術分野】
【０００１】
本発明は、無線通信を利用して、複数の無線通信端末に対して放送形式で情報の配信を行うことが可能な無線放送システムに関し、音声メッセージの配信を行う放送装置と、無線通信端末を収容し、ＰＨＳ（Personal Handyphone System：ディジタル簡易電話システム）子機などの無線通信端末と無線通信を行う複数の無線基地局と、無線通信端末の呼制御を管理する回線制御装置とが、構内情報通信網によって接続されている無線放送システムに関する。
【背景技術】
【０００２】
従来、複数の移動局に対して、放送形式（多数の通信装置への情報配信形式）によって、情報の配信を行う無線放送システムが知られている。例えば、下記の特許文献１には、統制局と複数の移動局との間や複数の移動局の間で、一斉通報や統制通信などを行うことが可能な無線放送システムが記載されており、この無線放送システムにおいて、情報配信側が切替信号を送出することによって、放送を受ける移動局の受信チャンネルを通話チャンネルから制御チャンネルに切り替えることが可能な防災無線システムが開示されている。
【特許文献１】特開２０００−１３３０２号公報（段落０００６、図１）
【０００３】
一方、本出願人は、特願２００３−１３３０２号の特許出願において、例えば、トーン信号の代わりに音声メッセージを再生することにより、複数の無線通信端末（移動局）に同一メッセージを放送する無線放送システムを出願している。この先願の無線放送システムは、従来のような多数の無線通信端末に対して個別に連絡する場合に比べて、より短い時間で多数の無線通信端末に対して重要なメッセージを伝えることが可能であり、例えば、災害時の緊急連絡などに特に有用である。さらに、この先願の無線放送システムは、中継装置をグループ化し、放送を行なう場合に、さらに重要度の高いメッセージを自グループ内だけに放送することも可能である。なお、この特願２００３−１３３０２号に係る特許出願は、本発明の出願時には公開されておらず、公知技術とはなっていない。
【発明の開示】
【発明が解決しようとする課題】
【０００４】
こうした無線放送システムでは、メッセージが重要であれば重要であるほど、正確に伝える必要があるが、放送形式による情報の配信では、情報は特定のタイミングで一度しか配信されない。したがって、情報受信側の無線通信端末のユーザは、例えば、不注意や周りの騒音などによって、この情報を聞き逃してしまうことがあり、すべての無線通信端末のユーザに重要なメッセージが伝わらない場合が生じる可能性がある。また、特に、無線通信端末は、電波状況などによって通信環境が大きく影響を受け、例えば、注意して聞いていても電波状況が劣悪で情報が聞き取れない場合もある。また、無線通信端末のユーザは、放送が開始されたことには気付いたものの、他の用事で放送をすぐに聞くことができず、放送を聞けるようになったときにはすでに放送が終了してしまっている場合や、終了はしていないが、最初の内容が聞けなかったので途中から聞いても内容が十分に理解できない場合などが生じるおそれもある。
【０００５】
上記問題点に鑑み、本発明は、一度しか聞くことのできない放送形式によって、音声メッセージの配信を行う無線放送システムにおいて、すでに放送されてしまった音声メッセージの内容を確認することを可能とする無線放送システムを提供し、特に、音声メッセージを、先頭から確認できるようにする無線放送システムを提供することを目的とする。
【課題を解決するための手段】
【０００６】
上記目的を達成するため、本発明では、音声メッセージの配信を行う放送装置と、無線通信端末を収容し、前記無線通信端末と無線通信を行う複数の無線基地局と、前記無線通信端末の呼制御を管理する回線制御装置と、前記放送装置によって配信された前記音声メッセージの記録及び記録された前記音声メッセージの出力を行う放送用録音装置とが、構内情報通信網によって接続されている無線放送システムであって、
前記放送用録音装置は、
前記音声メッセージを取得する音声メッセージ入力手段と、
前記音声メッセージを記録する音声メッセージ記録手段と、
前記音声メッセージ入力手段が取得している前記音声メッセージ、及び、前記音声メッセージ記録手段に記録されている前記音声メッセージのいずれか一方を、あるいは、両方を少なくとも前記無線通信端末に送出する音声メッセージ出力手段と、
所定の信号を受信して、前記所定の信号によって指示された前記音声メッセージの記録及び出力の態様を判定する録音再生判定手段と、
前記録音再生判定手段の判定結果に基づいて、前記音声メッセージ記録手段における記録動作、及び、前記音声メッセージ出力手段における出力動作の制御とその出力先の管理を行う音声メッセージ管理手段とを有し、
前記放送装置は、
前記音声メッセージを取得する音声メッセージ入力手段と、
前記音声メッセージを記録する音声メッセージ記録手段と、
前記音声メッセージ入力手段が取得している前記音声メッセージ、及び、前記音声メッセージ記録手段に記録されている前記音声メッセージのいずれか一方を、前記放送用録音装置及び前記無線通信端末の少なくとも１つに送出する音声メッセージ出力手段と、
所定の信号を検出して、前記所定の信号によって指示された前記音声メッセージの記録及び再生の態様を判定する録音再生判定手段と、
前記録音再生判定手段の判定結果に基づいて、前記音声メッセージ記録手段における記録動作、及び、前記音声メッセージ出力手段における出力動作の制御とその出力先の管理を行う音声メッセージ管理手段とを有し、
前記放送装置による音声メッセージの記録動作状況及び出力動作状況が、前記放送用録音装置の前記録音再生判定手段に通知されるように、前記放送用録音装置に信号線が接続されており、
前記放送装置が、所定の前記無線基地局に収容される前記無線通信端末に対して、前記音声メッセージを配信するとともに、前記放送用録音装置に対して前記音声メッセージを配信した場合に、前記放送用録音装置は、前記録音再生判定手段において、前記放送装置によって前記音声メッセージの配信が行われていることを前記信号線を介して検出し、前記検出結果をトリガとして、前記音声メッセージ管理手段が前記放送装置から受信する前記音声メッセージの記録を開始するよう構成され、
前記放送用録音装置は、前記録音再生判定手段における前記所定の信号の検出結果に応じて、前記音声メッセージ記録手段に記録されている前記音声メッセージを送出し、前記録音再生判定手段において前記無線通信端末からの再生要求を検出した場合には、前記無線通信端末によって再生要求された前記音声メッセージを前記音声メッセージ記録手段から読み出して、前記無線通信端末に送出するよう構成され、
前記放送装置は、所定の前記無線基地局に収容される前記無線通信端末に対して、前記音声メッセージを配信するとともに、前記放送用録音装置に対して前記音声メッセージを配信し、前記放送装置に設けられた前記音声メッセージ記録手段に前記音声メッセージを記録するよう構成され、
前記放送装置は、前記録音再生判定手段における前記所定の信号の検出結果に応じて、前記音声メッセージ記録手段に記録されている前記音声メッセージを送出し、前記録音再生判定手段において前記無線通信端末からの再生要求を検出した場合には、前記無線通信端末によって再生要求された前記音声メッセージを前記音声メッセージ記録手段から読み出して、前記無線通信端末に送出するよう構成されている無線放送システムが提供される。
【０００７】
さらに、本発明では、上記発明に加えて、前記音声メッセージの中継を行う中継装置と、前記放送装置によって配信された前記音声メッセージの記録及び記録された前記音声メッセージの出力を行う中継用録音装置とが、前記構内情報通信網に接続されており、
前記中継用録音装置は、
前記放送装置が配信する前記音声メッセージを取得する音声メッセージ入力手段と、
前記音声メッセージを記録する音声メッセージ記録手段と、
前記音声メッセージ入力手段が取得している前記音声メッセージ、及び、前記音声メッセージ記録手段に記録されている前記音声メッセージのいずれか一方を、あるいは、両方を少なくとも前記無線通信端末に送出する音声メッセージ出力手段と、
所定の信号を受信して、前記所定の信号によって指示された前記音声メッセージの記録及び出力の態様を判定する録音再生判定手段と、
前記録音再生判定手段の判定結果に基づいて、前記音声メッセージ記録手段における記録動作、及び、前記音声メッセージ出力手段における出力動作の制御とその出力先の管理を行う音声メッセージ管理手段とを有し、
前記中継装置による音声メッセージの記録動作状況及び出力動作状況が、前記中継用録音装置の前記録音再生判定手段に通知されるように、前記中継用録音装置に信号線が接続されており、
前記放送装置が、所定の前記無線基地局に収容される前記無線通信端末に対して、前記音声メッセージを配信するとともに、前記中継用録音装置に対して前記音声メッセージを配信し、前記中継用録音装置が、前記録音再生判定手段において、前記中継装置に対して前記音声メッセージの配信が行われていないことを前記信号線を介して検出した場合には、前記中継用録音装置は、前記検出結果をトリガとして、前記音声メッセージ入力手段が前記放送装置から受信する前記音声メッセージの記録を開始するとともに、前記中継装置が前記音声メッセージの中継を行えるように、前記中継装置に対して前記音声メッセージを送出するよう構成されている請求項１に記載の無線放送システムが提供される。
【発明の効果】
【０００８】
本発明によれば、放送装置が、所定の無線基地局に収容される無線通信端末に対して、音声メッセージを配信するとともに、放送用録音装置に対して音声メッセージを配信した場合に、放送用録音装置は、この音声メッセージの配信を検出し、その検出結果をトリガとして放送装置から受信する前記音声メッセージの記録を開始し、また、放送用録音装置は、録音再生判定手段における所定の信号の検出結果に応じて、音声メッセージ記録手段に記録されている前記音声メッセージを送出し、録音再生判定手段において無線通信端末からの再生要求を検出した場合には、無線通信端末によって再生要求された音声メッセージを音声メッセージ記録手段から読み出して、無線通信端末に送出し、また、放送装置は、所定の無線基地局に収容される無線通信端末に対して、音声メッセージを配信するとともに、放送用録音装置に対して音声メッセージを配信し、放送装置に設けられた前記音声メッセージ記録手段に前記音声メッセージを記録し、また、放送装置は、放送装置の録音再生判定手段における所定の信号の検出結果に応じて、音声メッセージ記録手段に記録されている音声メッセージを送出し、録音再生判定手段において無線通信端末からの再生要求を検出した場合には、無線通信端末によって再生要求された音声メッセージを音声メッセージ記録手段から読み出して、無線通信端末に送出するよう構成されているので、一度しか聞くことのできない放送形式によって、音声メッセージの配信を行う無線放送システムにおいて、音声メッセージを記録することが可能となり、ユーザは、すでに放送されてしまった音声メッセージの内容を確認することが可能となる。
【０００９】
また、本発明によれば、放送装置が、所定の無線基地局に収容される無線通信端末に対して、音声メッセージを配信するとともに、中継用録音装置に対して音声メッセージを配信し、中継用録音装置が、録音再生判定手段において、中継装置に対して音声メッセージの配信が行われていないことを検出した場合には、中継用録音装置は、検出結果をトリガとして、音声メッセージ入力手段が放送装置から受信する音声メッセージの記録を開始するとともに、中継装置が音声メッセージの中継を行えるように、中継装置に対して音声メッセージを送出するよう構成されているので、一度しか聞くことのできない放送形式によって、音声メッセージの配信を行う無線放送システムにおいて、音声メッセージを記録することが可能となり、ユーザは、すでに放送されてしまった音声メッセージの内容を確認することが可能となる。
【発明を実施するための最良の形態】
【００１０】
以下、図面を参照しながら、本発明の実施の形態について説明する。図１は、本発明の実施の形態における無線放送システムの構成を示す図である。図１に示す無線放送システムでは、放送装置１０、中継装置２０、回線制御装置３０、複数の移動局５０ａ〜５０ｆと無線通信を行う複数の親機４０ａ〜４０ｄ、放送用録音装置６１、中継用録音装置６２が、例えば、構内情報通信網であるＬＡＮ（Local Area Network）７０に接続されている。なお、ここでは、放送装置１０は、移動局５０ａ〜５０ｄを収容する親機４０ａ、４０ｂに対して音声メッセージを直接送信することが可能であるが、移動局５０ｅ、５０ｆを収容する親機４０ｃ、４０ｄに関しては、いったん音声メッセージを中継装置２０に送信し、中継装置２０が親機４０ｃ、４０ｄに音声メッセージを送信する必要があるものとする。
【００１１】
また、上記では、構内情報通信網をＬＡＮとしているが、ＷＡＮ（Wide Area Network）、ＭＡＮ(Metropolitan Area Network)、ＦＴＴＨ（Fiber to the Home）網、ＩＳＤＮ（Integrated Services Digital Network）網、ＡＤＳＬ（Asymmetric Digital Subscriber Line）網などのＩＰ（Internet Protocol）による通信が可能な通信ネットワークを利用することも可能であり、また、ＩＥＥＥ１３９４やＵＳＢ（Universal Serial Bus）などによる接続を利用することも可能である。
【００１２】
次に、図１に示す無線放送システムの各構成要素について説明する。放送装置１０は、例えば、マイクロホン１１から入力された音声メッセージや所定の記憶媒体に格納されている音声メッセージを、ＬＡＮ７０を介して親機４０ａ、４０ｂや中継装置２０に送出し、これによって、例えば、親機４０ａ、４０ｂに収容されている移動局５０ａ〜５０ｄに対して、音声メッセージが同時に放送される。さらに、放送装置１０は、ＬＡＮ７０経由で放送用録音装置６１に音声メッセージを送信でき、ＲＳ−２３２Ｃケーブル７１を介して、放送用録音装置６１における音声メッセージの録音動作及び再生動作の制御を行う。
【００１３】
また、中継装置２０は、放送装置１０や中継用録音装置６２から受けた音声メッセージを、他の中継装置２０や親機４０ｃ、４０ｄ及び親機４０ｃ、４０ｄに収容されている移動局５０ｅ、５０ｆに送出する音声メッセージの中継機能を有しており、ＬＡＮ７０を介して他の中継装置２０や親機４０ｃ、４０ｄ及び親機４０ｃ、４０ｄのエリア内に存在する移動局５０ｅ、５０ｆに音声メッセージを送出する。さらに、中継装置２０は、ＲＳ−２３２Ｃケーブル７２を介して中継用録音装置６２に信号が供給され、この信号に基づいて、中継用録音装置６２における音声メッセージの録音動作及び再生動作の制御が行われる。
【００１４】
また、放送装置１０及び中継装置２０のそれぞれに対応して設置されている放送用録音装置６１及び中継用録音装置６２は、ＬＡＮ７０を介して取得した音声メッセージを記録したり、記録した音声メッセージを再生して、ＬＡＮ７０を介して他の装置に送出したりすることが可能である。なお、上述のように、この録音動作及び再生動作は、放送装置１０及び中継装置２０のそれぞれからＲＳ−２３２Ｃケーブル７１、７２を介して受ける信号によって制御される。また、図１に示す無線放送システムでは、放送装置１０と放送用録音装置６１との接続、及び、中継装置２０と中継用録音装置６２との接続に、ＲＳ−２３２Ｃケーブル７１、７２を用いているが、単なる信号線などを用いることも可能である。
【００１５】
なお、図１に示す無線放送システムには、中継装置２０が１台のみ存在しているが、当該無線放送システムの規模に応じて複数台の中継装置２０を設置することも可能であり、また、中継装置２０を設けないようにすることも可能である。さらに、図１に示す無線放送システムでは、放送装置１０及び中継装置２０のそれぞれに対して、放送用録音装置６１及び中継用録音装置６２が設けられているが、放送装置１０及び中継装置２０のどちらか一方にのみ、録音装置を設けるようにすることも可能である。また、放送装置１０、中継装置２０、親機４０ａ〜４０ｄ、移動局５０ａ〜５０ｆを任意にグループ化して、音声メッセージの配信をグループ単位で制御することも可能である。
【００１６】
また、例えば、複数の親機４０ａ〜４０ｄとしては、無線基地局として機能する自営網用ＰＨＳ親機を利用することが可能であり、移動局５０ａ〜５０ｆとしては、ＰＨＳ電話機を利用することが可能である。なお、以下では、上記のように、親機４０ａ〜４０ｄと移動局５０ａ〜５０ｆとがＰＨＳによって無線通信を行う態様について説明するが、ＰＨＳ以外にも、例えば、移動局５０ａ〜５０ｆとしてＩＰ電話機を利用したり、親機４０ａ〜４０ｄとして、ＩＥＥＥ８０２．１１ａ／ｂ／ｇなどのアクセスポイントや、光無線ＬＡＮ、Ｂｌｕｅｔｏｏｔｈ、ワイヤレス１３９４通信、ＵＷＢ（Ultra Wide Bandwidth）通信などのアクセスポイントを利用したりすることも可能である。また、図１では、４台の親機４０ａ〜４０ｄ及び６台の移動局５０ａ〜５０ｆが図示されているが、これらの台数は、任意に設定可能である。
【００１７】
また、図１に示す無線放送システムでは、移動局５０ａ〜５０ｆ同士が通話を行うことも可能であり、回線制御装置３０によって、親機４０ａ〜４０ｄを介した移動局５０ａ〜５０ｆ同士の呼制御が行われる。
【００１８】
次に、放送装置１０及び中継装置２０のそれぞれに接続する放送用録音装置６１及び中継用録音装置６２の構成について説明する。なお、放送用録音装置６１及び中継用録音装置６２は、基本的に同一であり、以下では、放送用録音装置６１及び中継用録音装置６２をまとめて録音装置６０と呼ぶことにする。
【００１９】
図２は、本発明の実施の形態における録音装置の内部構成を示すブロック図である。録音装置６０は、音声メッセージ入力部６０１、録音再生判定部６０２、出力先管理格納部６０３、音声メッセージ管理部６０４、音声メッセージ出力部６０５、音声メッセージ記録部６０６を有している。
【００２０】
音声メッセージ入力部６０１は、音声メッセージを取得するためのものである。音声メッセージ入力部６０１は、録音装置６０に接続されたマイクロホン（不図示）などからの音声メッセージを受けるアナログＩ／Ｆ６０１１と、ＬＡＮ７０経由で放送装置１０や中継装置２０、ＰＨＳ５０ａ〜５０ｆなどから音声メッセージを受信するネットワークＩ／Ｆ６０１２により構成される。
【００２１】
また、録音再生判定部６０２は、放送装置１０や中継装置２０、移動局５０ａ〜５０ｆからの信号を受け、その信号の内容を判定して、その判定結果を音声メッセージ管理部６０４に通知するものである。すなわち、録音再生判定部６０２が受ける信号は、録音装置６０における音声メッセージの記録動作や出力動作などの様々な動作のトリガとして利用される。
【００２２】
録音再生判定部６０２は、マイクロホンのＯＮ／ＯＦＦスイッチや録音装置６０のユーザ操作部（不図示）などに設けられたスイッチから受ける信号に応じて、アナログＩ／Ｆ６０１１やネットワークＩ／Ｆ６０１２による音声メッセージの入力制御や音声メッセージの記録の可否の判定を行うアナログ制御Ｉ／Ｆ６０２１と、移動局５０ａ〜５０ｆから受ける信号に応じて、音声メッセージの記録や再生の可否を判定する呼制御Ｉ／Ｆ６０２２と、ＲＳ−２３２Ｃケーブル７１、７２を通じて放送装置１０又は中継装置２０から受ける信号に応じて、音声メッセージの記録や再生の可否を判定するシリアルＩ／Ｆ６０２３により構成される。
【００２３】
また、出力先管理格納部６０３は、音声メッセージの出力先を指定する情報が格納されるものである。また、音声メッセージ管理部６０４は、録音再生判定部６０２から記録や再生の可否に係る判定結果を受けて、どの音声メッセージをどのタイミングで記録するか、記録された音声メッセージのうちのどの音声メッセージを再生するか、どの装置や端末に対して音声メッセージを出力するか、音声メッセージの記録や再生（出力）を行うかなど、録音装置６０における様々な動作の管理を行うものである。
【００２４】
また、音声メッセージ出力部６０５は、出力先管理格納部６０３によって指定された出力先に対して、音声メッセージ入力部６０１によって取得された音声メッセージや、音声メッセージ記録部６０６に記録されている音声メッセージを送信するために、音声メッセージをＬＡＮ７０上に出力するものである。また、音声メッセージ記録部６０６は、音声メッセージを格納するための記録媒体であり、音声メッセージ管理部６０４の指示に基づいて、音声メッセージが記録されたり、所望の音声メッセージが読み出されたりする。
【００２５】
なお、放送装置１０や中継装置２０に関しても、上記の録音装置６０と同一の構成を有しており、音声メッセージの記録、録音再生の指示に基づく音声メッセージの選択的な再生出力などを行うことが可能である。
【００２６】
次に、特に、図２に示す録音装置６０における動作の詳細を説明しながら、図１に示す無線放送システム全体の動作について説明する。
【００２７】
＜放送用録音装置６１における録音動作＞
まず、放送用録音装置６１における録音動作について説明する。放送装置１０は、例えば、マイクロホン１１から入力された音声メッセージを、ＬＡＮ７０経由で親機４０ａ、４０ｂ、中継装置２０、放送用録音装置６１に送出する。音声メッセージを受けた親機４０ａ、４０ｂは、この音声メッセージを無線通信を介して移動局５０ａ〜５０ｄに放送する。また、同時に、放送装置１０は、マイクロホンから音声メッセージが入力されている間、ＲＳ−２３２Ｃケーブル７１による通信をアクティブにする信号（例えば、ＲＴＳ（Request to Send）信号）を出力する。
【００２８】
放送用録音装置６１の録音再生判定部６０２は常に信号の入力を監視しており、シリアルＩ／Ｆ６０２３が、放送装置１０と接続するＲＳ−２３２Ｃケーブル７１による通信がアクティブであることを検出し、この検出結果を音声メッセージ管理部６０４に通知する。音声メッセージ管理部６０４は、その通知を受けて、放送装置１０から音声メッセージが送出されていると判断し、音声メッセージ記録部６０６に放送装置１０からの音声メッセージを記録するように指示する。この指示に従って、音声メッセージ記録部６０６は、音声メッセージ入力部６０１のネットワークＩ／Ｆ６０１２を選択して、ネットワークＩ／Ｆ６０１２が受信する放送装置１０からの音声メッセージを記録する。
【００２９】
以上の動作により、放送装置１０から送出された音声メッセージは、移動局５０ａ、５０ｂに放送されるとともに、放送用録音装置６１の音声メッセージ記録部６０６に録音される。
【００３０】
＜放送用録音装置６１における再生動作＞
次に、移動局５０ａ〜５０ｄからの音声メッセージの再生要求に応じて、放送用録音装置６１が、音声メッセージ記録部６０６に記録されている音声メッセージを再生する再生動作について説明する。移動局５０ａ〜５０ｄからの音声メッセージの再生要求は、親機４０ａ、４０ｂ及び回線制御装置３０を経由して放送用録音装置６１に送られる。そして、録音再生判定部６０２の呼制御Ｉ／Ｆ６０２２が、移動局５０ａ〜５０ｄからの再生要求を受け、再生要求を受けたことを音声メッセージ管理部６０４に通知する。
【００３１】
一方、放送装置１０は、放送が行われているときには、ＲＳ−２３２Ｃケーブル７１による通信をアクティブな状態に保つ。シリアルＩ／Ｆ６０２３によってＲＳ−２３２Ｃケーブル７１による通信がアクティブであることが検出されている場合には、音声メッセージ管理部６０４は、ネットワークＩ／Ｆ６０１２が受信する音声メッセージを選択する。ただし、ＲＳ−２３２Ｃケーブル７１による通信がアクティブになってから、所定時間（例えば、３０秒）以上が経過している場合（すなわち、放送開始から所定時間以上が経過している場合）には、現在記録中の音声メッセージに関して、その音声メッセージの先頭部分からの再生を行うように、音声メッセージ記録部６０６に指示する。また、ＲＳ−２３２Ｃケーブル７１による通信がアクティブではない場合には、音声メッセージ記録部６０６に記録されている音声メッセージのうち、例えば、最新の３件を再生するように音声メッセージ記録部６０６に指示する。
【００３２】
そして、音声メッセージ管理部６０４は、当該再生要求を送出した移動局５０ａ〜５０ｄを収容している親機４０ａ、４０ｂの位置情報を出力先管理格納部６０３に追加するとともに、音声メッセージ出力部６０５に対して、当該再生要求を送出した移動局５０ａ〜５０ｄを収容している親機４０ａ、４０ｂに、音声メッセージの再生出力を行うように指示する。これによって、親機４０ａ、４０ｂを経由して、移動局５０ａ〜５０ｄは、放送用録音装置６１が再生出力する音声メッセージを受けることができる。
【００３３】
また、移動局５０ａ〜５０ｄにおいて、音声メッセージの再生の態様を変更できるようにすることも可能である。すなわち、例えば、図３に示すように、移動局５０ａ〜５０ｄの操作キーと音声メッセージの再生の態様とを対応付けておく。そして、移動局５０ａ〜５０ｄにおいてキー入力が行われた場合には、録音再生判定部６０２の呼制御Ｉ／Ｆ６０２２が、このキー入力を受けて音声メッセージ管理部６０４に通知し、音声メッセージ管理部６０４は、図３に示す対応関係に基づいてキー入力に対応した音声メッセージを出力するよう音声メッセージ記録部６０６に指示する。これによって、移動局５０ａ〜５０ｄにおいて行われたキー入力に応じた音声メッセージの再生が行われるようになり、キー操作によって、ユーザは、音声メッセージを何度も繰り返し聞いたり、別の音声メッセージを選択したりすることが可能となる。
【００３４】
なお、図３は、本発明の実施の形態における移動局のキー入力と音声メッセージの再生の態様との対応関係を示す図であり、キー『４』が前の音声メッセージを再生する操作（ＢＡＣＫ）、キー『５』が現在の音声メッセージをもう一度先頭から再生する操作（ＲＥＰＬＡＹ）、キー『６』が次の音声メッセージを再生する操作（ＮＥＸＴ）、キー『７』が音声メッセージの再生を一時停止する操作（ＰＡＵＳＥ）、キー『９』が音声メッセージの再生を終了する操作（ＳＴＯＰ）、キー『２』が１つ前に録音された音声メッセージを再生する操作（ＯＬＤ）、キー『８』が１つ後に録音された音声メッセージを再生する操作（ＮＥＷ）にそれぞれ対応付けられている。
【００３５】
以上の動作により、放送用録音装置６１は、移動局５０ａ〜５０ｄから音声メッセージの再生要求を受けた際、放送開始から所定時間未満しか経過していない場合には、現在放送中の音声メッセージをそのまま再生出力し、放送開始から所定時間以上が経過している場合には、現在記録中の音声メッセージを先頭から再生出力し、放送装置１０による放送が行われていない場合には、最新の音声メッセージを再生出力する。なお、所定時間の長さは任意に設定可能であり、例えば、所定時間を０に設定した場合には、すべての音声メッセージに関して、その先頭部分からの再生出力が行われる。
【００３６】
＜放送用録音装置６１における繰り返し再生動作＞
次に、放送用録音装置６１が、放送装置１０によって放送された最新の音声メッセージを、繰り返し放送する場合の動作について説明する。放送用録音装置６１による繰り返し再生を行う場合には、放送装置１０は、マイクロホン１１からの音声入力が終了して音声メッセージの送出を停止した場合でも、放送用録音装置６１と接続するＲＳ−２３２Ｃケーブル７１による通信をアクティブな状態のまま維持する。
【００３７】
一方、放送用録音装置６１では、音声メッセージ入力部６０１のネットワークＩ／Ｆ６０１２が音声メッセージの入力がないことを検出した場合には、音声メッセージ管理部６０４に対してその旨を通知する。この通知を受けた音声メッセージ管理部６０４は、音声メッセージ記録部６０６に記録されている音声メッセージのうち、例えば、最新の３件を繰り返して再生するように音声メッセージ出力部６０５及び音声メッセージ記録部６０６に指示し、音声メッセージ出力部６０５は、出力先管理格納部６０３に格納された中継装置２０及び親機４０ａ、４０ｂなどの位置情報に基づき、音声メッセージの再生出力を行う。
【００３８】
以上の動作により、放送装置１０からの制御によって、放送用録音装置６１で録音された最新の音声メッセージを繰り返し再生出力させ、その結果、音声メッセージの放送が終わった後でも、移動局５０ａ〜５０ｄに対して、音声メッセージを繰り返し放送することが可能となる。
【００３９】
＜中継用録音装置６２における録音動作（放送装置１０による放送時）＞
次に、放送装置１０による放送時の中継用録音装置６２における録音動作について説明する。放送装置１０は、例えば、マイクロホン１１から入力された音声メッセージを、ＬＡＮ７０経由で親機４０ａ、４０ｂ、放送用録音装置６１、中継用録音装置６２に送出し、中継装置２０には送出しない。親機４０ａ、４０ｂに収容された移動局５０ａ〜５０ｄへの音声メッセージの放送や、放送用録音装置６１における録音などは、上述のようにして行われる。
【００４０】
一方、音声メッセージを受けた中継用録音装置６２は、音声メッセージ入力部６０１のネットワークＩ／Ｆ６０１２に音声メッセージが供給されていることを音声メッセージ管理部６０４に通知する。また、音声メッセージ管理部６０４は、録音再生判定部６０２からの通知がないことを確認することによって、音声メッセージが中継装置２０以外の装置（すなわち、放送装置１０）から供給されていることを検知し、音声メッセージ記録部６０６に対して、この音声メッセージを記録するように指示する。この指示に従って、音声メッセージ記録部６０６は、音声メッセージ入力部６０１のネットワークＩ／Ｆ６０１２を選択して、ネットワークＩ／Ｆ６０１２が受信する音声メッセージを記録する。また、音声メッセージ管理部６０４は、音声メッセージ出力部６０５に対して、ネットワークＩ／Ｆ６０１２を選択するとともに、出力先管理格納部６０３に格納されている中継装置２０の位置情報を参照して、ネットワークＩ／Ｆ６０１２が受信する音声メッセージを出力するように指示する。これにより、音声メッセージは中継装置２０に送られ、中継装置２０によって、親機４０ｃ、４０ｄに収容されている移動局５０ｅ、５０ｆに放送される。
【００４１】
以上の動作により、放送装置１０から送出された音声メッセージは、移動局５０ａ〜５０ｄに放送されるとともに、中継用録音装置６２の音声メッセージ記録部６０６に録音され、さらに、中継用録音装置６２から中継装置２０に音声メッセージが転送されて、移動局５０ｅ、５０ｆに放送される。
【００４２】
＜中継用録音装置６２における再生動作（放送装置１０による放送時）＞
次に、放送装置１０による放送時において、移動局５０ｅ、５０ｆからの音声メッセージの再生要求に応じて、中継用録音装置６２が、音声メッセージ記録部６０６に記録されている音声メッセージを再生する再生動作について説明する。移動局５０ｅ、５０ｆからの音声メッセージの再生要求は、親機４０ｃ、４０ｄ及び回線制御装置３０を経由して中継用録音装置６２に送られる。そして、録音再生判定部６０２の呼制御Ｉ／Ｆ６０２２が、移動局５０ｅ、５０ｆからの再生要求を受け、再生要求を受けたことを音声メッセージ管理部６０４に通知する。
【００４３】
一方、中継装置２０は、放送装置１０又は中継用録音装置６２から音声メッセージを受信して中継を行っているときには、ＲＳ−２３２Ｃケーブル７２による通信をアクティブな状態に保つ。シリアルＩ／Ｆ６０２３によってＲＳ−２３２Ｃケーブル７２による通信がアクティブであることが検出されている場合には、音声メッセージ管理部６０４は、ネットワークＩ／Ｆ６０１２が受信する音声メッセージを選択する。ただし、ＲＳ−２３２Ｃケーブル７２による通信がアクティブになってから、所定時間（例えば、３０秒）以上が経過している場合（すなわち、放送開始から所定時間以上が経過している場合）には、現在記録中の音声メッセージに関して、その音声メッセージの先頭部分からの再生を行うように、音声メッセージ記録部６０６に指示する。また、ＲＳ−２３２Ｃケーブル７２による通信がアクティブではない場合には、音声メッセージ記録部６０６に記録されている音声メッセージのうち、例えば、最新の３件を再生するように音声メッセージ記録部６０６に指示する。
【００４４】
そして、音声メッセージ管理部６０４は、当該再生要求を送出した移動局５０ｅ、５０ｆを収容している親機４０ｃ、４０ｄの位置情報を出力先管理格納部６０３に追加するとともに、音声メッセージ出力部６０５に対して、当該再生要求を送出した移動局５０ｅ、５０ｆを収容している親機４０ｃ、４０ｄに、音声メッセージの再生出力を行うように指示する。これによって、親機４０ｃ、４０ｄを経由して、移動局５０ｅ、５０ｆは、中継用録音装置６２が再生出力する音声メッセージを受けることができる。
【００４５】
なお、上記では、中継用録音装置６２から親機４０ｃ、４０ｄに対して音声メッセージが直接送信されているが、中継用録音装置６２は、中継装置２０に音声メッセージを送信し、中継装置２０によって親機４０ｃ、４０ｄに音声メッセージが転送されるようにすることも可能である。また、放送用録音装置６１の場合と同様に、移動局５０ｅ、５０ｆにおけるキー入力によって、音声メッセージの再生の態様を変更できるようにすることも可能である。
【００４６】
以上の動作により、中継用録音装置６２は、移動局５０ｅ、５０ｆから音声メッセージの再生要求を受けた際、放送開始から所定時間未満しか経過していない場合には、現在放送中の音声メッセージをそのまま再生出力し、放送開始から所定時間以上が経過している場合には、現在記録中の音声メッセージを先頭から再生出力し、放送装置１０による放送が行われていない場合には、最新の音声メッセージを再生出力する。なお、所定時間の長さは任意に設定可能であり、例えば、所定時間を０に設定した場合には、すべての音声メッセージに関して、その先頭部分からの再生出力が行われる。
【００４７】
＜中継用録音装置６２における録音動作（移動局５０ｅ、５０ｆによる放送時）＞
次に、移動局５０ｅ、５０ｆから放送を行う場合の中継用録音装置６２における録音動作について説明する。移動局５０ｅ、５０ｆからの音声メッセージの放送要求は、親機４０ｃ、４０ｄ及び回線制御装置３０を経由して中継用録音装置６２に送られる。そして、録音再生判定部６０２の呼制御Ｉ／Ｆ６０２２が、移動局５０ｅ、５０ｆからの放送要求を受け、放送要求を受けたことを音声メッセージ管理部６０４に通知する。
【００４８】
音声メッセージ管理部６０４は、その通知を受けて、音声メッセージ記録部６０６に対して、移動局５０ｅ、５０ｆからの音声メッセージを記録するように指示するとともに、音声メッセージ出力部６０５に対して、移動局５０ｅ、５０ｆからの音声メッセージを中継装置２０に送出するように指示する。なお、このときネットワークＩ／Ｆ６０１２が放送装置１０からの音声メッセージを受信していても、放送装置１０からの音声メッセージを記録及び送出しないようにすることも可能であり、また、例えば、放送装置１０からの音声メッセージの記録及び送出と、移動局５０ｅ、５０ｆからの音声メッセージの記録及び送出とを、並列的に処理できるように構成することも可能である。
【００４９】
以上の動作により、移動局５０ｅ、５０ｆから放送される音声メッセージに関しても、放送装置１０から放送される音声メッセージに係る処理と同様の処理を行うことが可能である。
【００５０】
＜中継用録音装置６２における再生動作（放送装置１０による放送時）＞
また、移動局５０ｅ、５０ｆによる放送時において、移動局５０ｅ、５０ｆからの音声メッセージの再生要求に応じて、中継用録音装置６２が、音声メッセージ記録部６０６に記録されている音声メッセージを再生する再生動作について説明する。移動局５０ｅ、５０ｆからの音声メッセージの再生要求は、親機４０ｃ、４０ｄ及び回線制御装置３０を経由して中継用録音装置６２に送られる。そして、録音再生判定部６０２の呼制御Ｉ／Ｆ６０２２が、移動局５０ｅ、５０ｆからの再生要求を受け、再生要求を受けたことを音声メッセージ管理部６０４に通知する。
【００５１】
一方、移動局５０ｅ、５０ｆによる放送が行われているときには、呼制御Ｉ／Ｆ６０２２に信号が供給され、アクティブな状態が保たれている。呼制御Ｉ／Ｆ６０２２への入力がアクティブであることが検出されている場合には、音声メッセージ管理部６０４は、ネットワークＩ／Ｆ６０１２が受信する音声メッセージを選択する。ただし、呼制御Ｉ／Ｆ６０２２がアクティブになってから、所定時間（例えば、３０秒）以上が経過している場合（すなわち、放送開始から所定時間以上が経過している場合）には、現在記録中の音声メッセージに関して、その音声メッセージの先頭部分からの再生を行うように、音声メッセージ記録部６０６に指示する。また、呼制御Ｉ／Ｆ６０２２がアクティブではない場合には、音声メッセージ記録部６０６に記録されている音声メッセージのうち、例えば、最新の３件を再生するように音声メッセージ記録部６０６に指示する。
【００５２】
そして、音声メッセージ管理部６０４は、当該再生要求を送出した移動局５０ｅ、５０ｆを収容している親機４０ｃ、４０ｄの位置情報を出力先管理格納部６０３に追加するとともに、音声メッセージ出力部６０５に対して、当該再生要求を送出した移動局５０ｅ、５０ｆを収容している親機４０ｃ、４０ｄに、音声メッセージの再生出力を行うように指示する。これによって、親機４０ｃ、４０ｄを経由して、移動局５０ｅ、５０ｆは、中継用録音装置６２が再生出力する音声メッセージを受けることができる。なお、移動局５０ｅ、５０ｆによって放送されている音声メッセージに係る記録及び中継装置２０への送出は、移動局５０ｅ、５０ｆからの再生要求の有無によらず、維持される。
【００５３】
以上の動作により、中継用録音装置６２は、移動局５０ｅ、５０ｆから音声メッセージの再生要求を受けた際、放送開始から所定時間未満しか経過していない場合には、現在放送中の音声メッセージをそのまま再生出力し、放送開始から所定時間以上が経過している場合には、現在記録中の音声メッセージを先頭から再生出力し、移動局５０ｅ、５０ｆによる放送が行われていない場合には、最新の音声メッセージを再生出力する。なお、所定時間の長さは任意に設定可能であり、例えば、所定時間を０に設定した場合には、すべての音声メッセージに関して、その先頭部分からの再生出力が行われる。
【００５４】
＜中継用録音装置６２における繰り返し再生動作＞
次に、中継用録音装置６２が、放送装置１０によって放送された最新の音声メッセージを、繰り返し放送する場合の動作について説明する。中継用録音装置６２は、音声メッセージ入力部６０１のネットワークＩ／Ｆ６０１２が音声メッセージの入力がないことを検出し、かつ、録音再生判定部６０２がアクティブな状態ではない場合、すなわち、放送装置１０や移動局５０ｅ、５０ｆなどから音声メッセージを受信していない場合に、音声メッセージ記録部６０６に記録されている音声メッセージのうち、例えば、最新の３件を繰り返して再生するようにする。
【００５５】
以上の動作により、リアルタイムの放送が行われていない場合には、中継用録音装置６２で録音された最新の音声メッセージが繰り返し再生出力されるようにすることが可能である。
【００５６】
上記では録音装置６０に関する動作を説明したが、上述のように放送装置１０や中継装置２０も音声メッセージの記録、録音再生の指示に基づく音声メッセージの選択的な再生出力などを行うことが可能であり、すなわち、上記と同様の音声メッセージの記録動作、他の装置（例えば、移動局５０ａ〜５０ｆ）やユーザからの指示に基づいた音声メッセージの選択的な再生出力などを行うことが可能である。また、放送装置１０と放送用録音装置６１との通信は、ＩＰ通信によって行われており、ＩＰ通信のローカルループバック機能を用いて、放送装置１０と放送用録音装置６１とを容易に同一筺体によって実現することが可能である。また、同様に、中継装置２０と中継用録音装置６２とを容易に同一筺体によって実現することが可能である。
【産業上の利用可能性】
【００５７】
本発明の無線放送システムは、一度しか聞くことのできない放送形式によって、音声メッセージの配信を行う無線放送システムにおいて、音声メッセージを記録することが可能となり、ユーザは、すでに放送されてしまった音声メッセージを再生することによって、後からでも、その内容を確認できるようにするものであり、無線通信を利用して、複数の無線通信端末に対して放送形式で情報の配信を行うことが可能な無線通信システムへの適用が可能である。
【図面の簡単な説明】
【００５８】
【図１】本発明の実施の形態における無線放送システムの構成を示す図である。
【図２】本発明の実施の形態における録音装置の内部構成を示すブロック図である。
【図３】本発明の実施の形態における移動局のキー入力と音声メッセージの再生の態様との対応関係を示す図である。
【符号の説明】
【００５９】
１０  放送装置
１１  マイクロホン
２０  中継装置
３０  回線制御装置
４０ａ、４０ｂ、４０ｃ、４０ｄ  親機（無線基地局）
５０ａ、５０ｂ、５０ｃ、５０ｄ、５０ｅ、５０ｆ  移動局（無線通信端末）
６０  録音装置
６１  放送用録音装置
６２  中継用録音装置
７０  ＬＡＮ（通信ネットワーク）
７１、７２  ＲＳ−２３２Ｃケーブル
６０１  音声メッセージ入力部
６０２  録音再生判定部
６０３  出力先管理格納部
６０４  音声メッセージ管理部
６０５  音声メッセージ出力部
６０６  音声メッセージ記録部
６０１１  アナログＩ／Ｆ
６０１２  ネットワークＩ／Ｆ
６０２１  アナログ制御Ｉ／Ｆ
６０２２  呼制御Ｉ／Ｆ
６０２３  シリアルＩ／Ｆ
【図１】
2005086529.tif 000003
【図２】
2005086529.tif 000004
【図３】
2005086529.tif 000005